(57)【特許請求の範囲】
【請求項１】
外部熱源からの受熱により水を温水に変換する外部温水機器と接続可能とされてその外部温水機器により変換される温水を利用するように構成される一方、上記温水の入水経路から出湯経路までの間に設けられた加熱手段と、出湯温度を設定するための温度設定手段とを備え、上記入水経路からの温水の温度が上記温度設定手段により設定された設定出湯温度よりも低ければ上記加熱手段を作動させて設定出湯温度にした上で出湯経路に出湯するようにされた外部温水機器利用給湯装置であって、
外部熱源優先スイッチと、
この外部熱源優先スイッチにより外部熱源優先指令が出力されたとき、上記外部温水機器からの温水の検出温度が設定温度以下になるまで上記加熱手段を非作動とする制御手段と備え、
上記設定温度として、上記温度設定手段により出湯温度として設定された設定出湯温度よりも所定温度値だけ低温側の温度値が設定されている
ことを特徴とする外部温水機器利用給湯装置。
【請求項２】
請求項１に記載の外部温水機器利用給湯装置であって、
設定温度は、温度設定手段により設定された設定出湯温度から加熱手段の最低加熱能力での昇温分に相当する所定温度値を減じた温度値が設定されている、外部温水機器利用給湯装置。
【請求項３】
請求項１又は請求項２に記載の外部温水機器利用給湯装置であって、
制御手段は、温水の検出温度が設定温度以下になれば外部熱源優先スイッチを強制的にＯＦＦに切換えるように構成されている、外部温水機器利用給湯装置。
【請求項４】
請求項１〜請求項３のいずれかに記載の外部温水機器利用給湯装置であって、
外部温水機器は、太陽熱の集熱媒体、燃料電池システムで発生する反応熱、及び、ヒートポンプの高温側循環媒体の内の少なくとも１つを外部熱源とし、この外部熱源との熱交換により水を温水に変換させるように構成されている、外部温水機器利用給湯装置。
【発明の詳細な説明】
【０００１】
【発明の属する技術分野】
本発明は、外部熱源からの受熱により水を温水に変換する例えばソーラー温水器などの外部温水機器と接続可能とされて、その外部温水機器により変換される温水を利用するように構成した外部温水機器利用給湯装置に関する。
【０００２】
【従来の技術】
従来、外部温水機器利用給湯装置として、ソーラー温水器と、給湯装置とを組み合わせたものが開示されている（例えば、特許第３１５９０７４号公報参照）。このものでは、ソーラー温水器と給湯装置との間にソーラー接続ユニットを介装し、このソーラー接続ユニットにおいてソーラー温水器で生成された温水に対し水道水を混合することにより給湯装置からの設定出湯温度以下に温調するようになっている。そして、このように予め温調した温水を上記給湯装置に取り込んだ後、給湯装置側の加熱手段により給湯用の設定出湯温度や風呂用の設定風呂温度まで加熱するようになっている。
【０００３】
【発明が解決しようとする課題】
ところが、上記従来の外部温水機器利用給湯装置においては、外部温水機器からの温水の熱エネルギーを有効利用して加熱手段による熱エネルギー消費を削減するという省エネルギー化をさらに促進し得る余地が残されている。
【０００４】
すなわち、出湯温度を正確に設定出湯温度にすることを制御目標として追及すると、僅かな温度差でも設定出湯温度にするために加熱手段を作動させる必要が生じ、このための熱エネルギー消費を招くことになる。加熱手段が燃焼バーナの燃焼により加熱するものである場合には、その燃焼作動を最低能力にしたとしてもある一定の温度値分は昇温されてしまい、入水される温水が設定出湯温度よりも僅かに下回る温度であると、燃焼作動により設定出湯温度を超えてしまうことになる。このため、上記温水の温度が設定出湯温度よりも低温側のある一定範囲にある場合には、上記ソーラー接続ユニットにおいて水を混合させてある温度以下までわざわざ温調した後に給湯装置側に入水させ、これを上記の燃焼作動により正確に設定出湯温度まで加熱するようにしており、熱エネルギーの消費増大の一因ともなる。
【０００５】
一方、ユーザ自身が例えばリモコン操作等により所望の設定出湯温度の入力設定を行ってはいるものの、現実の出湯温度が上記設定出湯温度よりも若干低めであったとしてもユーザにとっては構わないという場合もあり得る。このような場合においても、上記の如きあくまでも正確な設定出湯温度での出湯を追及すると、熱エネルギーの無駄な消費にも繋がることになる。
【０００６】
本発明は、このような事情に鑑みてなされたものであり、その目的とするところは、ユーザ自身の自由選択要素を採り入れつつ、より高い省エネルギー化を図り得る外部温水機器利用給湯装置を提供することにある。
【０００７】
【課題を解決するための手段】
上記目的を達成するために、本発明では、外部熱源からの受熱により水を温水に変換する外部温水機器と接続可能とされてその外部温水機器により変換される温水を利用するように構成される一方、上記温水の入水経路から出湯経路までの間に設けられた加熱手段と、出湯温度を設定するための温度設定手段とを備え、上記入水経路からの温水の温度が上記温度設定手段により設定された設定出湯温度よりも低ければ上記加熱手段を作動させて設定出湯温度にした上で出湯経路に出湯するようにされた外部温水機器利用給湯装置を対象として、以下の解決手段を備えることとした。
【００１３】
すなわち、外部熱源優先スイッチと、この外部熱源優先スイッチにより外部熱源優先指令が出力されたとき、上記外部温水機器からの温水の検出温度が設定温度以下になるまで上記加熱手段を非作動とする制御手段とを備え、上記設定温度として、上記温度設定手段により出湯温度として設定された設定出湯温度よりも所定温度値だけ低温側の温度値を設定することとした（請求項１）。
【００１４】
この発明によれば、外部熱源優先スイッチから外部熱源優先指令が出力されると、制御手段により外部温水機器からの温水の温度が設定温度以下になるまで、つまり上記温水が設定温度を超える高温側である限り加熱手段が非作動とされ、外部温水機器からの温水が入水経路及び出湯経路を素通りして出湯されることになる。その一方、上記温水が設定温度以下になれば加熱手段により加熱されることになる。これにより、ユーザの省エネルギー化の意思を尊重した省エネルギー化を図りつつも、温水の温度如何に応じて加熱手段の作動が制御されて利便性の向上をも併せて得られることになる。しかも、上記設定温度として、ユーザにより出湯温度として設定された設定出湯温度よりも所定温度値だけ低温側の温度値が設定されているため、出湯温度が設定出湯温度よりも多少低くなってもユーザの省エネルギー化の意思に基づくものであるため容認されることとなって、ユーザーの省エネルギー化の意思を尊重しつつも、温水温度がユーザ自身が設定した設定出湯温度よりもあまりにかけ離れた低温である場合には加熱手段により加熱され、これにより、現実の出湯温度が設定出湯温度に比べ過度の低温になることが防止される。このため、利便性の向上も併せて得られることになる。ここで、上記の「外部熱源優先スイッチ」としては、例えば、リモコン等に設けられてユーザの自由選択により直接にＯＮ操作される操作スイッチとして構成してもよいし、他のスイッチによるユーザ操作に連携して自動的にＯＮされて外部熱源優先指令が出力されるように構成してもよい。前者の場合にはユーザの自由意思に基づく選択により省エネルギー化の促進が図られる。後者の場合、上記の他のスイッチとして例えば省エネルギーモードの選択スイッチを設けておき、その選択スイッチのＯＮ操作に基づき例えば外部温水機器で変換された後の温水の温度の如何に応じて自動的に外部熱源優先指令が出力されるようにすればよく、この場合にはユーザの省エネルギー化の意思を尊重しつつ自動処理による利便性の向上を図り得ることになる。なお、上記の加熱手段を非作動にする場合には、入水経路から入水された外部温水機器からの温水を、加熱手段を通さずに出湯経路に直接に出湯させるようにしてもよい。また、「加熱手段」としては液体又は気体の燃料を燃焼させるものや、電気ヒータ等の別を問わない。
【００１５】
この発明の場合の「設定温度」として、上記温度設定手段により設定された設定出湯温度から加熱手段の最低加熱能力での昇温分に相当する所定温度値を減じた温度値を設定するようにしてもよい（請求項２）。この場合には、加熱手段により加熱を行う場合であっても、その加熱作動を加熱手段の最低加熱能力により設定出湯温度まで加熱し得るようにすることが可能になり、より省エネルギー化の実現が図られる。ここで、上記の「最低加熱能力での昇温分」としては、例えば燃焼バーナの燃焼熱により加熱する場合であると、流量に最小燃焼号数を乗じて得られる加熱上昇温度のことであり、この加熱上昇温度分を減じるようにすればよい。
【００１６】
以上の請求項１又は請求項２における制御手段として、温水の検出温度が設定温度以下になれば外部熱源優先スイッチを強制的にＯＦＦに切換える構成を追加するようにしてもよい（請求項３）。この場合には請求項１又は請求項２において温水の検出温度が設定温度以下になったときには、加熱手段による加熱が通常通り行われることが明確になり、この加熱による利便性の向上も確実に得られることになる。
【００１７】
以上の請求項１〜請求項３のいずれかにおける外部温水機器としては、太陽熱の集熱媒体、燃料電池システムで発生する反応熱、及び、ヒートポンプの高温側循環媒体の内の少なくとも１つを外部熱源とし、この外部熱源との熱交換により水を温水に変換させる構成を採用することができる（請求項４）。この場合には本発明における外部温水機器を具体的に特定することができ、いずれかの外部熱源の熱エネルギーの有効活用による省エネルギー化が図られる。
【００１８】
具体的には、外部熱源として太陽熱の集熱媒体を利用する外部温水機器（例えばソーラー温水器）と給湯装置とを接続する場合には、自然の熱エネルギーの有効活用が図られる上に、その外部温水機器により変換される温水がある季節にはかなりの高温となる特性を有しているため、外部熱源優先スイッチによる選択に基づき省エネルギー化の実効が図られる。また、外部熱源として燃料電池システムで発生する反応熱を利用する外部温水機器と上記の給湯装置とを接続する場合には、コージョネレーション（熱・電併給）システムにおける熱供給システムの一つとして好適なものを提供し得る。さらに、外部熱源としてヒートポンプの高温側循環媒体を利用する外部温水機器と上記の給湯装置とを接続する場合には、冷暖房機の室外機等に利用されているヒートポンプの廃熱回収によりエネルギーの有効利用が図られる。なお、例えば太陽熱の集熱媒体と、ヒートポンプの高温側循環媒体との２種以上の外部熱源を用い、これらの外部熱源と水とを熱交換させて温水に変換させるようにしてもよい。
【００１９】
【発明の効果】
以上、説明したように、請求項１〜請求項４のいずれかの外部温水機器利用給湯装置によれば、ユーザ自身の自由意思に基づく省エネルギー化の選択を尊重して、より高い省エネルギー化を図ることができるようになる。
【００２０】
特に、温水の検出温度がユーザ設定の設定出湯温度よりも低温側の設定温度以下になるまで加熱手段を非作動とする制御を行うようにしているため、出湯温度が設定出湯温度よりも多少低くなってもユーザの省エネルギー化の意思に基づくものであるため容認されて、ユーザの省エネルギー化の意思を尊重した省エネルギー化を図りつつも、温水の温度如何に応じて加熱手段の作動が制御されて利便性の向上をも併せて得ることができるようになる。この際、加熱手段による加熱が行われる場合であっても、その加熱作動を加熱手段の最低加熱能力により設定出湯温度まで加熱し得るように調整することができ、より省エネルギー化の実現を図ることができ、請求項２によれば、このような省エネルギー化の実現を図り得る「設定温度」を具体的に特定することができる。
【００２１】
また、請求項３によれば、上記請求項１又は請求項２において温水の検出温度が設定温度以下になったときには、加熱手段による加熱が通常通り行われることを明確にすることができ、この加熱による利便性の向上も確実に得ることができるようになる。
【００２２】
さらに、請求項４によれば、以上の請求項１〜請求項３のいずれかにおける外部温水機器を具体的に特定して、いずれかの外部熱源の熱エネルギーの有効活用により省エネルギー化を図り得る外部温水機器利用給湯装置をより具体化することができる。
【００２３】
【発明の実施の形態】
以下、本発明の実施形態を図面に基づいて説明する。
【００２４】
図１は、本発明の実施形態に係る外部温水機器利用給湯装置を示す。本実施形態は、外部温水機器として太陽熱の集熱媒体を外部熱源とするソーラー温水器２を適用し、このソーラー温水器２により生成された温水を給湯のために給湯器１で利用するようにしたものである。なお、図例のものは、給湯器１がいわゆる瞬間式給湯器により構成され、この給湯器１とソーラー温水器２とが途中にソーラー接続ユニット３を介して互いに接続されたものを示している。
【００２５】
上記給湯器１は、１又は２以上の給湯栓１１に対し給湯するための給湯回路２０と、浴槽１２に対し湯張り及び追い焚きを行う風呂回路３０と、両回路２０，３０の熱交換器２１，３１に対し燃焼バーナ等を備えた燃焼系４１からの燃焼熱を付与するための熱交換缶体４０とを備えている。
【００２６】
上記給湯回路２０は、上記熱交換器２１と、この熱交換器２１に対しソーラー接続ユニット３を介してソーラー温水器２からの温水を入水させる入水経路としての入水管２２と、上記熱交換器２１を通過させた加熱後の又は非加熱のままの温水を給湯栓１１に出湯させる出湯経路としての出湯管２３とを基本要素として備えている。上記入水管２２にはポンプ２４と、水流スイッチ２５と、流量センサ２６と、入水温度センサ２７とが設けられている。また、上記出湯管２３には出湯温度センサ２８が設けられている。さらに、上記入水管２２と出湯管２３との間には、入水管２２の途中から分岐され熱交換器２１をバイパスして出湯管２３に合流されるバイパス管２９が設けられ、途中に介装された流量調整部２９ａの開度調整により給湯栓１１への出湯温度が調整可能とされている。このバイパス管２９との合流点よりも下流側位置の出湯管２３には風呂回路３０への注湯管５１が分岐接続され、開閉弁５２の開作動により給湯回路２０からの出湯を浴槽１２へ落とし込んで湯張りを行い得るようになっている。
【００２７】
上記風呂回路３０は、上記熱交換器３１と、循環ポンプ３４の作動によりこの熱交換器３１に対し浴槽１２内の湯水を戻す戻り管３３と、上記熱交換器３１から加熱後の湯水を上記浴槽１２に供給する往き管３２とを基本要素として備えている。上記戻り管３３には風呂湯温センサ３５と、水流スイッチ３６とが設けられ、上記往き管３２には上記注湯管５１からの落とし込み湯水を受けるホッパー受け部５３が三方切換弁５４を介して合流接続されている。
【００２８】
一方、ソーラー温水器２は、貯湯槽６０と、太陽熱交換器６１と、貯湯槽６０の底部に後述の主給水管６５からの水道水を給水するための水供給配管６２と、上記貯湯槽６０の頂部から温水を導出して上記給湯器１の入水管２２の上流端まで供給するための温水供給管６３とを備えている。このソーラー温水器２では、上記貯湯槽６０内に配設された熱交換コイル等の熱交換器と、上記太陽熱交換器６１との間で集熱媒体を循環させ、太陽熱交換器６１で集熱した熱エネルギーにより貯湯槽６０内の水を熱交換加熱して温水に変換させるようになっている。
【００２９】
また、上記ソーラー接続ユニット３は、上記ソーラー温水器２の温水供給管６３の途中に介装されるものであり、混合調整弁６４を基本要素として備えている。この混合調整弁６４は、通常時には温水供給管６３のみが連通状態とされて貯湯槽６０からの温水をそのまま入水管２２に供給する一方、後述のソーラー側コントローラ１５からの混水指令を受けたときにのみ、上流端が水道管と接続された主給水管６５からの水を上記温水供給管６３からの温水に対し所定の混合比で混合させることにより、上記入水管２２に供給する温水を事前に温調し得るようになっている。なお、上記主給水管６５の途中に上記の水供給配管６２の上流端が分岐接続されている。
【００３０】
上記ソーラー接続ユニット３内の温水供給管６３の部分には開閉弁６６と、上記混合調整弁６４に供給される温水の温度を検出する上流側温度センサ６７と、混合調整弁６４から入水管２２に供給される温水の温度を検出する下流側温度センサ６９とが設けられている。また、上記主給水管６５には上記混合調整弁６４に供給される水の温度を検出する水温度センサ６５が設けられている。そして、上記開閉弁６６を閉作動すれば、給湯器１の入水管２２に対してソーラー温水器２からの温水の代わりに、主給水管６５からの水を供給することが可能になる。
【００３１】
上記給湯器１による給湯、湯張り及び追い焚きはＭＰＵやメモリー等を備えた主コントローラ１４により作動制御され、上記ソーラー接続ユニット３による上記の混水は同様にＭＰＵやメモリー等を備えたソーラー側コントローラ１５により作動制御されるようになっている。上記主コントローラ１４とソーラー側コントローラ１５とは有線又は無線により双方向通信可能に接続され、また、上記主コントローラ１４にはユーザによる各種指令の入力設定が行われる温度設定手段としてのリモコン１６が接続されている。
【００３２】
上記主コントローラ１４は、図２に示すように給湯回路２０の作動制御を行う給湯制御部１４１と、給湯回路２０からのお湯を風呂回路３０に落とし込んで浴槽１２に湯張りする湯張り制御及び浴槽１２内の湯水を追い焚き加熱する追い焚き制御の各作動制御を行う風呂制御部１４２と、リモコン１６に装備された外部熱源優先スイッチとしてのソーラー温水優先スイッチ１６１（図３参照）から出力される外部熱源優先指令としてのソーラー温水優先指令を受けてソーラー温水優先制御を行う制御手段としてのソーラー温水優先制御部１４３とを備えている。
【００３３】
ここで、上記リモコン１６について図３に示す一例を参照しつつ説明すると、このリモコン１６にはその表示部に対しソーラー温水優先スイッチ１６１が表示されるようになっており、その表示された「入」か「切」を選択スイッチ１６２により選択して設定スイッチ１６３を押すことにより、上記ソーラー温水優先スイッチ１６１がＯＮされてソーラー温水優先指令が主コントローラ１４に出力されるようになっている。なお、図３中１６４は運転スイッチ、１６５は風呂制御部１４２により自動運転を行わせるための自動運転スイッチ、１６６は音声出力部である。
【００３４】
上記給湯制御部１４１は、通常制御時には、ポンプ２４の作動によりソーラー温水器２から入水管２２に入水させた温水に対し燃焼系４１による燃焼作動を必要に応じて行い、リモコン１６に対しユーザが入力設定した設定出湯温度の出湯を給湯栓１１に対し行うようになっている。この際に、上記燃焼系４１の燃焼作動を給湯側の各種センサ２５〜２８に基づいて制御するようになっている。また、上記風呂制御部１４２は、まず、開閉弁５２の開作動及び三方切換弁５４の切換作動を行い給湯回路２０からの出湯を風呂回路３０側に注湯して浴槽１２に対し湯張りし、次いで、循環ポンプ３４の作動及び燃焼系４１の燃焼作動を行い浴槽１２内に湯張りされた湯水をリモコン１６に入力設定された沸き上がり温度まで追い焚き循環加熱するようになっている。
【００３５】
次に、上記ソーラー温水優先制御部１４３による制御について図４のフローチャートを参照しつつ説明する。
【００３６】
まず、リモコン１６のソーラー温水優先スイッチ１６１がＯＮ操作されてソーラー温水優先指令が出力されたか否かを判定し、出力されていれば燃焼系４１の燃焼作動を禁止して燃焼停止させる（ステップＳ１でＹＥＳ、ステップＳ２）。
【００３７】
次に、再度、上記ソーラー温水優先スイッチ１６１がＯＮされていること、つまりユーザによりＯＦＦ操作されていないことを確認した後（ステップＳ３でＮＯ）、入水温度センサ２７により検出されたソーラー温水器２からの温水温度が設定温度（設定温度＝設定出湯温度−α）以下ではないことを確認して上記の燃焼作動の禁止を継続する（ステップＳ４でＮＯ、ステップＳ２、Ｓ３）。ここで、αとしては例えば１０℃を設定すればよい。
【００３８】
一方、上記ステップＳ４で温水温度が上記設定温度以下という設定出湯温度よりもかなり低温であれば、上記ソーラー温水優先スイッチ１６１を強制的にＯＦＦにしてリターンし（ステップＳ４でＹＥＳ、ステップＳ５）、ステップＳ１でＮＯの場合の通常時の給湯制御や風呂制御を行う。また、上記ステップＳ３でユーザ自らがソーラー温水優先スイッチ１６１をＯＦＦにした場合（ステップＳ３でＹＥＳ）にもリターンして上記のステップＳ１でＮＯの場合の通常時の給湯制御や風呂制御を行う。
【００３９】
上記の通常時の給湯制御や風呂制御は、まず、燃焼系４１による燃焼加熱が必要か否かを判定し、必要ならば燃焼作動を開始してリターンし（ステップＳ６でＹＥＳ、ステップＳ７）、不要ならば燃焼作動を停止したままにしてリターンする（ステップＳ６でＮＯ、ステップＳ８）。
【００４０】
以上によりソーラー温水優先スイッチ１６１をＯＮした場合には、ソーラー温水器２からの温水温度が上記設定温度以下ではない限り、その温水がそのまま給湯栓１１に出湯されたり、浴槽１２への湯張りのために出湯されたりすることになる。この際、出湯温度が設定出湯温度よりも多少低くなってもユーザの省エネルギー化の意思に基づくものであるため容認される一方、上記温水が設定出湯温度よりもあまりに低い場合（設定温度以下の場合）にはソーラー温水優先スイッチ１６１の強制ＯＦＦにより通常の燃焼加熱が行われる。
【００４１】
＜他の実施形態＞
なお、本発明は上記実施形態に限定されるものではなく、その他種々の実施形態を包含するものである。すなわち、上記実施形態では、外部温水機器としてソーラー温水器２を用いた例に対し外部温水機器からの温水を優先させる制御を適用した場合を示したが、これ以外の外部温水機器と給湯器１とを組み合わせるようにし、これに上記の外部温水機器からの温水を優先させる制御を適用してもよい。
【００４２】
上記実施形態の図４のステップＳ４における「α」としては、例えば熱交換器２１を流れる流量に燃焼系４１での最小燃焼号数を乗じて得られる加熱上昇温度を設定するようにしてもよい。
【００４３】
例えば図５にはヒートポンプ７からなる外部温水機器２ａと、給湯器１とを組み合わせた形態を例示している。この場合、同図に例示したヒートポンプ７は、循環媒体の循環路７１に対し圧縮機７２と膨張弁７３とが介装されており、圧縮機７２により圧縮されて高温・高圧とされた循環媒体が第１熱交換器７４において貯湯槽６０からポンプ７６の作動により循環路７７を通して供給される水を熱交換加熱するようになっている。そして、膨張弁７３により膨張されて低温・低圧とされた循環媒体が第２熱交換器７５において外気との熱交換により吸熱した後に、上記圧縮機７２において再度圧縮されて高温・高圧となるようになっている。このヒートポンプ７の運転により、貯湯槽６０に対し給水されて充満された水道水が温水に変換されるようになっている。つまり、上記の高温側の循環媒体を外部熱源として温水に変換されるようになっている。
【００４４】
また、図６には燃料電池システム８で発生する反応熱を利用して温水に変換する外部温水機器２ｂと、給湯器１とを組み合わせた例を示している。上記燃料電池システム８は原料ガスを水蒸気改質する改質器８１と、水素を主成分とする改質ガスと酸素（空気）との供給を受けて発電する燃料電池セル８２とを備えたものである。そして、上記改質器８１及び燃料電池セル８２の各反応により生じる廃熱（廃温水等）を個別に取り出して第１及び第２の熱交換器８３，８４に導き、各熱交換器８３，８４において貯湯槽６０からポンプ８５の作動により循環路８６を通して供給される水を熱交換加熱するようになっている。これにより、貯湯槽６０に対し給水されて充満された水道水が温水に変換されるようになっている。つまり、上記の燃料電池システムで生じる廃熱（反応熱）を外部熱源として温水に変換されるようになっている。
【００４５】
さらに、上記実施形態ではソーラー温水器２と給湯器１とを間にソーラー接続ユニット３を介して互いに接続させた例を示したが、これに限らず、上記のソーラー接続ユニット３を省略してソーラー温水器２の温水供給管６３を給湯器１の入水管２２に直接接続させるようにしてもよい。
【図面の簡単な説明】
【図１】本発明の実施形態を示す模式図である。
【図２】コントローラの内容を示すブロック図である。
【図３】リモコンの例を示す正面図である。
【図４】ソーラー温水優先制御部による制御を示すフローチャートである。
【図５】ヒートポンプを利用した外部温水機器を給湯器に接続した形態を示す模式図である。
【図６】燃料電池システムを利用した外部温水機器を給湯器に接続した形態を示す模式図である。
【符号の説明】
１        給湯器（給湯装置）
２        ソーラー温水器（外部温水機器）
２ａ      ヒートポンプを利用した外部温水機器
２ｂ      燃料電池システムを利用した外部温水機器
７        ヒートポンプ
８        燃料電池システム
１６      リモコン（温度設定手段）
２２      入水管（入水経路）
２３      出湯管（出湯経路）
４１      燃焼系（加熱手段）
１４３    ソーラー温水優先制御部（制御手段）
１６１    ソーラー温水優先スイッチ（外部熱源優先スイッチ）
【図１】
0004666196.tif 000002
【図２】
0004666196.tif 000003
【図３】
0004666196.tif 000004
【図４】
0004666196.tif 000005
【図５】
0004666196.tif 000006
【図６】
0004666196.tif 000007